(57)【特許請求の範囲】
【請求項１】
手首周方向に巻回されて手首を圧迫する血圧計用カフにおいて、カフの手首周方向の長さは、手首手掌側の腱が配置されている硬い組織エリアを起点として橈骨側に巻き付けたときに橈骨動脈を通り少なくとも橈骨茎状突起部に至り且つ尺骨動脈には至らないような長さを有すると共に、カフの前腕長手方向の長さは、少なくとも橈骨茎状突起部の略直上において橈骨動脈を局所的に圧迫するための長さを有し、橈骨茎状突起部の中央部の略直上に配置される中央カフと、橈骨茎状突起部の中央部に対する前腕長手方向の両端側にそれぞれ配置される二つの側部カフとを前腕長手方向に連設して前記カフを形成し、装着状態における中央カフの手首表面側の面から手首とは反対側の面の間の寸法が、側部カフよりも小さく形成されて、カフを手首周方向に巻回させて圧迫させた際の、橈骨茎状突起部の中央部に対する前腕長手方向の両端側でのカフから手首表面への圧迫力が、橈骨茎状突起部の中央部の略直上での圧迫力よりも大きくなるように形成して成ることを特徴とする血圧計用カフ。
【請求項２】
手首周方向に巻回されて手首を圧迫する血圧計用カフにおいて、カフの手首周方向の長さは、手首手掌側の腱が配置されている硬い組織エリアを起点として橈骨側に巻き付けたときに橈骨動脈を通り少なくとも橈骨茎状突起部に至り且つ尺骨動脈には至らないような長さを有すると共に、カフの前腕長手方向の長さは、少なくとも橈骨茎状突起部の略直上において橈骨動脈を局所的に圧迫するための長さを有し、手首表面側における前記カフの外装を構成するシート材の厚みを、橈骨茎状突起部の中央部の略直上に配置される部分の方が、橈骨茎状突起部の中央部に対する前腕長手方向の両端側にそれぞれ配置される部分よりも厚くなるように形成して、カフを手首周方向に巻回させて圧迫させた際の、橈骨茎状突起部の中央部に対する前腕長手方向の両端側でのカフから手首表面への圧迫力が、橈骨茎状突起部の中央部の略直上での圧迫力よりも大きくなるように形成して成ることを特徴とする血圧計用カフ。
【発明の詳細な説明】
【０００１】
【発明の属する技術分野】
本発明は、血圧、脈波、生体情報などを手首で測定するのに適した血圧計用カフに関し、詳しくは主に手首を圧迫するカフの構造に関するものである。
【０００２】
【従来の技術】
一般に、カフによる圧迫法を用いた血圧計は、カフを動脈が完全に閉塞するまで加圧し、その後徐々に減圧してカフの圧迫力に重畳した動脈の脈波信号を捉え、その振幅変化を基に最高、最低、および平均血圧を判定する。圧迫する部位は上腕、手首などが用いられ、自動的に血圧を測定する電子血圧計が知られている。手首には橈骨、尺骨、腱、筋肉および上腕動脈が分岐した橈骨動脈と尺骨動脈と呼ばれる２本の太い動脈が走行している。カフによる圧迫法を用いた手首血圧計では、カフを用いてこの２本の動脈を同時に阻血し、減圧することにより捉えた脈波信号から血圧を判定している。
【０００３】
しかしながら、２本の動脈を同時に阻血するためには大きなカフの圧迫力が必要であるため、使用者にとっては大きな圧迫感がある。また一般に橈骨動脈よりも尺骨動脈の方が手首表面から深い位置にあり、阻血後のカフ減圧時に尺骨動脈の脈波信号が橈骨動脈の脈波信号より先に出現することから血圧判定に誤差を生じやすい。
【０００４】
したがって従来から、橈骨動脈、あるいは尺骨動脈のみを阻血し、血圧を判定する方法が試みられ、特許出願されている（例えば特願平１１−１６６０２３号）。このような従来技術としては、例えば図７〜９に示すようにカフ１を手首周方向に、手首手掌側の腱９が配置されている硬い組織エリア５０から橈骨茎状突起部７に至るまで巻回すると共に、尺骨動脈４までは巻回しないようにし、この状態でカフ１にて手首２を圧迫することにより橈骨動脈３のみを圧迫して、血圧を測定するものがある。
【０００５】
このような従来技術においては、手首２に巻回されたカフ１を例えば２６．７ｋＰａ（２００ｍｍＨｇ）まで加圧して手首を圧迫することにより橈骨動脈３を阻血した後、例えば０．４ｋＰａ／ｓ（３ｍｍＨｇ／ｓ）の降下速度で加圧力を降下させながら、脈圧成分を検出し、図１３に示すようなカフ圧−脈圧曲線から血圧値を推定するものである。
【０００６】
【発明が解決しようとする課題】
しかし、上記のような従来技術においては、図１２に示すように、橈骨茎状突起部７の中央部７ａは手首２の皮膚の表面側に向けて隆起しているので、図５に示すグラフのＰ2のように、カフ１にて圧迫されている領域における橈骨動脈３に働く圧迫力は、橈骨茎状突起部７の中央部７ａと手首２の表面との間に配置さされている部分では、その上流側及び下流側よりも圧迫力が高くなってしまう。このため、カフ１にて圧迫されている領域では、橈骨動脈３は橈骨茎状突起部７の中央部７ａと手首２の表面との間で阻血がされたしても、それより上流側の圧迫力が低い部分に血流が流れ込んでしまうおそれがあり、また図７に示すように橈骨動脈３と尺骨動脈４とは手掌側において環状に連結されているので、橈骨茎状突起部７の中央部７ａと手首２の表面との間よりも下流側の圧迫力が低い部分にも血流が逆流して流れ込んでしまうおそれがある。
【０００７】
このようにカフ１にて圧迫されている領域において、橈骨動脈３に血流が流れ込んでしまうと、図１３に示すようにカフ圧−脈圧曲線にノイズＮが重畳し、血圧の測定精度が悪化する原因となってしまうものであった。
【０００８】
本発明は上記の点に鑑みて為されたものであり、手首を圧迫することにより橈骨動脈に圧迫力をかけて血圧を測定するにあたり、カフが装着されて圧迫されている領域において橈骨動脈に血流方向に沿って圧迫力を均一な分布でかけることにより、橈骨動脈の血流を阻血している場合における、橈骨動脈のカフにて圧迫されている領域において、橈骨茎状突起部の中央部に対する上流側や下流側から血流が流れ込むことを防止して、このような血流によるノイズの発生を抑制し、正確な血圧、脈波等の測定を行なうことができる血圧計用カフを提供することを目的とするものである。
【０００９】
【課題を解決するための手段】
本発明の請求項１に係る血圧計用カフは、手首周方向に巻回されて手首２を圧迫する血圧計用カフ１において、カフ１の手首周方向の長さは、手首手掌側の腱９が配置されている硬い組織エリア５０を起点として橈骨５側に巻き付けたときに橈骨動脈３を通り少なくとも橈骨茎状突起部７に至り且つ尺骨動脈４には至らないような長さを有すると共に、カフ１の前腕長手方向の長さは、少なくとも橈骨茎状突起部７の略直上において橈骨動脈３を局所的に圧迫するための長さを有し、橈骨茎状突起部７の中央部７ａの略直上に配置される中央カフ１ａと、橈骨茎状突起部７の中央部７ａに対する前腕長手方向の両端側にそれぞれ配置される二つの側部カフ１ｂ，１ｂとを前腕長手方向に連設して前記カフ１を形成し、装着状態における中央カフ１ａの手首表面側の面から手首とは反対側の面の間の寸法が、側部カフ１ｂ，１ｂよりも小さく形成されて、カフ１を手首周方向に巻回させて圧迫させた際の、橈骨茎状突起部７の中央部７ａに対する前腕長手方向の両端側でのカフ１から手首２表面への圧迫力が、橈骨茎状突起部７の中央部７ａの略直上での圧迫力よりも大きくなるように形成して成ることを特徴とするものである。
【００１０】
また請求項２に係る血圧計用カフは、手首周方向に巻回されて手首２を圧迫する血圧計用カフ１において、カフ１の手首周方向の長さは、手首手掌側の腱９が配置されている硬い組織エリア５０を起点として橈骨５側に巻き付けたときに橈骨動脈３を通り少なくとも橈骨茎状突起部７に至り且つ尺骨動脈４には至らないような長さを有すると共に、カフ１の前腕長手方向の長さは、少なくとも橈骨茎状突起部７の略直上において橈骨動脈３を局所的に圧迫するための長さを有し、手首表面側における前記カフ１の外装を構成するシート材８の厚みを、橈骨茎状突起部７の中央部７ａの略直上に配置される部分の方が、橈骨茎状突起部７の中央部７ａに対する前腕長手方向の両端側にそれぞれ配置される部分よりも厚くなるように形成して、カフ１を手首周方向に巻回させて圧迫させた際の、橈骨茎状突起部７の中央部７ａに対する前腕長手方向の両端側でのカフ１から手首２表面への圧迫力が、橈骨茎状突起部７の中央部７ａの略直上での圧迫力よりも大きくなるように形成して成ることを特徴とするものである。
【００１４】
【発明の実施の形態】
以下、本発明を添付図面に示す実施形態に基づいて説明する。
【００１５】
本実施形態のカフ１は、図７〜９に示すように、手首周方向イに沿って装着されるものであり、例えば外装がウレタン、シリコンなどの可撓性のシート材で形成された矩形状の袋体で構成されている。図８はカフ１を手首２に装着した場合を手首断面から見た図であり、図７は手首２に装着しカフ１を真上から見た図である。ここでは、カフ１の手首周方向の長さは、手首手掌側の腱９などが配置された硬い組織エリア５０を起点として橈骨５側に巻き付けたときに橈骨動脈３を通り少なくとも橈骨茎状突起部７に至り且つ尺骨動脈４には至らないような長さＬであり、また、前腕長手方向ロ（手首長手方向）の長さは、少なくとも橈骨茎状突起部７の略直上において橈骨動脈３を局所的に圧迫するための長さＤとを有しており、尺骨動脈４を圧迫せずに、橈骨動脈３のみを圧迫、または阻血できるようになっている。
【００１６】
なお、カフ１の手首周方向イの長さの範囲は、図８に示すように、カフ１の一端ａを手首手掌側の硬い組織エリア５０のうちの最も尺骨動脈４側（図８の右側）に位置する腱９を起点として橈骨５側に巻き付けたときにカフ１の手首周方向イの先端ｂが尺骨動脈４の手前で止まる最大長さＬ２と、手首手掌側の硬い組織エリア５０のうちの最も橈骨動脈３側（図８の左側）に位置する腱９を起点として橈骨５側に巻き付けたときにカフ１の手首周方向イの先端ｂが橈骨茎状突起部７まで達して止まる最短長さＬ１との間で適宜変更可能である。ここでは、図８に示すように、手首手掌側の腱９などの硬い組織エリア５０の中間側に位置する腱９を起点として橈骨茎状突起部７を通り、手首２の約半周をカバーできる長さＬ３に設定されている。
【００１７】
従って、カフ１の手首周方向イの一端ａを硬い組織エリア５０に位置させ、これを起点としてカフ１を橈骨５側に巻いて橈骨動脈３と橈骨茎状突起部７とを圧迫し、且つ尺骨動脈４を圧迫しないようにすることで、カフ１を橈骨動脈３が生体表面に最も近い位置である橈骨茎状突起部７を含むように装着でき、尺骨動脈４を阻血せずに橈骨動脈３のみを阻血できるようになる。これにより、手首２に存在する２本の太い動脈３，４のうち、片方の橈骨動脈３だけを圧迫するのでカフ１が捉える脈波信号は正確なものとなる。つまり、両動脈を圧迫する従来方式の問題における２本の動脈の脈波信号の干渉による影響がないものとなり、血圧判定精度への影響を軽減でき、信頼性の高い血圧、脈波測定等の測定を実施でき、正確な血圧値を判定することができる。
【００１８】
しかも、カフ１の長さを手首手掌側の腱９などの硬い組織エリア５０を起点として少なくとも橈骨茎状突起部７に至る長さとすることで、橈骨動脈３の位置の個人差に十分に対応できるものとなり、そのうえ加圧中のカフ１の位置ずれや動脈の逃げをなくすことができると同時に、カフ１による阻血部位が局所的であるため、使用者の圧迫感が少なく、例えば手首周長が１３５ｃｍ〜２２０ｃｍまで橈骨動脈３の位置の個人差に影響なく阻血できて、装着者への負担が少ない理想的なカフ１による阻血を実行できるものである。
【００１９】
図１０はカフ１を湾曲状に形成する場合において、手首２の外周の少なくとも４分の１を含む長さＬを有し、手首断面の長径軸ハと手首２外周との阻血する動脈側の交点６０を通り、且つ腱９から橈骨茎状突起部７までの手首外周に合わせた湾曲形状にした場合を示している。これにより、手首２において曲率半径の小さい橈骨茎状突起部７への密着性が良く、圧迫感を感じることなくカフ１のずれを防止でき、圧力伝達効率が良くなる。
【００２０】
図１は、カフ１を手首２に装着した場合における、前腕長手方向に沿った、参考例の断面図である。カフ１の外装を構成するシート材８の厚みは全体に亘って略均一に形成されており、このシート材８のうち、装着状態において手首２とは反対側に配置される外側シート材８ａは平面状に形成されている。一方、手首２の表面側に配置される内側シート材８ｂは屈曲成形されることにより、橈骨茎状突起部７の中央部７ａの略直上に配置される部分において手首２の表面側に開口する凹部１０が形成されている。このためカフ１の外側シート材８ａと内側シート材８ｂとの間の寸法、すなわちカフ１の手首２表面側の面から手首２とは反対側の面の間の寸法は、橈骨茎状突起部７の中央部７ａの略直上と、橈骨茎状突起部７の中央部７ａに対して前腕長手方向の両端側とでは、前者の方が小さく形成されている。
【００２１】
このように形成されたカフ１の内部を加圧することによりカフ１にて手首２を圧迫すると、カフ１は橈骨茎状突起部７の中央部７ａの略直上に配置されている部分よりも、橈骨茎状突起部７の中央部７ａに対して前腕長手方向の両端側に配置されている部分の方が、膨脹量が大きくなるものであり、このため、カフ１から手首２の表面にかけられる圧迫力は、橈骨茎状突起部７の中央部７ａに対する前腕長手方向の両端側でのカフ１から手首２表面への圧迫力の方が、橈骨茎状突起部７の中央部７ａの略直上での圧迫力よりも大きくなる。
【００２２】
このとき、橈骨動脈３には、橈骨茎状突起部７の中央部７ａと手首２の表面との間に配置されている部分については、橈骨茎状突起部７の中央部７ａが手首２の表面側に向けて隆起しているために充分な圧迫力がかけられ、また橈骨茎状突起部７の中央部７ａに対して前腕長手方向の両端側にそれぞれ配置されている部分については、この部分におけるカフ１から手首２にかかる圧迫力が大きくなっているため、同様に充分な圧迫力がかけられる。この結果、カフ１が装着されて圧迫力がかけられている領域において、図５のＰ1に示すように、橈骨動脈３には血流の上流側から下流側に亘ってほぼ均一な分布で圧迫力がかけられることとなる。
【００２３】
従って、カフ１からの圧迫力によってカフ１の装着部位で橈骨動脈３の血流が阻血される場合には、血流はカフ１の装着部位において橈骨動脈３の上流側から下流側に亘って全体的に阻血されることとなり、カフ１の装着部位において橈骨動脈３の上流側や下流側から血流が流れ込むことを防止することができる。従って、カフ圧−脈圧曲線を測定した場合には図６に示すようにノイズが重畳しないカーブが測定でき、高い測定精度にて血圧の測定を行なうことができるものである。
【００２４】
図２は、他の参考例における、カフ１を手首２に装着した場合での、前腕長手方向に沿った断面図を示すものである。この実施形態では、カフ１の外装を構成するシート材８のうち、装着状態において手首２とは反対側に配置される外側シート材８ａと、手首２側に配置される内側シート材８ｂとは、いずれも平面状に形成されており、カフ１の外側シート材８ａと内側シート材８ｂとの間の寸法、すなわちカフ１の手首２表面側の面から手首２とは反対側の面の間の寸法は、全体に亘ってほぼ等しく形成されている。また内側シート材８ｂの表面には、橈骨茎状突起部７の中央部７ａに対する前腕長手方向の両端側に配置される部分において、シリコンやウレタンゴム等からなる弾性部材１１が、内側シート材８ｂの表面から手首２の表面側に向けて突出するように添設されている。
【００２５】
このように形成されたカフ１の内部を加圧することによりカフ１にて手首２を圧迫すると、カフ１の膨脹量は全体に亘ってほぼ均一なものであるが、橈骨茎状突起部７の中央部７ａの略直上においては手首２は内側シート材８ｂの表面にて圧迫されるのに対して、橈骨茎状突起部７の中央部７ａに対する前腕長手方向の両端側においては手首２は内側シート材８ｂの表面から突出する弾性部材１１にて圧迫されることとなり、このため、カフ１から手首２の表面にかけられる圧迫力は、橈骨茎状突起部７の中央部７ａに対する前腕長手方向の両端側でのカフ１から手首２表面への圧迫力の方が、橈骨茎状突起部７の中央部７ａの略直上での圧迫力よりも大きくなる。
【００２６】
この結果、図１に示す参考例の場合と同様に、カフ１が装着されて圧迫力がかけられている領域において、橈骨動脈３には血流の上流側から下流側に亘ってほぼ均一な分布で圧迫力がかけられることとなり、ノイズが重畳しないカフ圧−脈圧曲線のカーブが測定できて、高い測定精度にて血圧の測定を行なうことができるものである。
【００２７】
図３は本発明の実施形態における、カフ１を手首２に装着した場合での、前腕長手方向に沿った断面図を示すものである。この実施形態では、カフ１は橈骨茎状突起部７の中央部７ａの略直上に配置される中央カフ１ａと、橈骨茎状突起部７の中央部７ａに対する前腕長手方向の両端側にそれぞれ配置される二つの側部カフ１ｂ，１ｂとで構成され、一方の側部カフ１ｂ、中央カフ１ａ、他方の側部カフ１ｂを前腕長手方向に順次連設して三層構造のカフ１が形成されている。図示はしていないが、これらの中央カフ１ａ及び側部カフ１ｂ，１ｂは、互いに連通するように形成されている。
【００２８】
ここで、中央カフ１ａ及び各側部カフ１ｂ，１ｂの外装を構成するシート材８のうち、装着状態において手首２とは反対側に配置される外側シート材８ａと、手首２側に配置される内側シート材８ｂとの間の寸法、すなわちカフ１の手首２表面側の面から手首２とは反対側の面の間の寸法は、中央カフ１ａの方が各側部カフ１ｂ，１ｂよりも小さくなるように形成されている。また、中央カフ１ａと各側部カフ１ｂ，１ｂの外側シート材８ａの表面（すなわち手首２とは反対側の表面）は略面一に形成されており、そのため中央カフ１ａの内側シート材８ｂは各側部カフ１ｂ，１ｂの内側シート材８ｂに対して、手首２表面とは反対側の位置に配置されており、カフ１には橈骨茎状突起部７の中央部７ａの略直上に配置される部分において手首２の表面側に開口する凹部１０が形成されている。
【００２９】
このように形成されたカフ１の内部を加圧することによりカフ１にて手首２を圧迫すると、カフ１は橈骨茎状突起部７の中央部７ａの略直上に配置されている中央カフ１ａよりも、橈骨茎状突起部７の中央部７ａに対して前腕長手方向の両端側に配置されている各側部カフ１ｂ，１ｂの方が、膨脹量が大きくなるものであり、このため、カフ１から手首２の表面にかけられる圧迫力は、橈骨茎状突起部７の中央部７ａに対する前腕長手方向の両端側でのカフ１から手首２表面への圧迫力の方が、橈骨茎状突起部７の中央部７ａの略直上での圧迫力よりも大きくなる。
【００３０】
この結果、図１に示す参考例の場合と同様に、カフ１が装着されて圧迫力がかけられている領域において、橈骨動脈３には血流の上流側から下流側に亘ってほぼ均一な分布で圧迫力がかけられることとなり、ノイズが重畳しないカフ圧−脈圧曲線のカーブが測定できて、高い測定精度にて血圧の測定を行なうことができるものである。
【００３１】
図４は他の実施形態における、カフ１を手首２に装着した場合での、前腕長手方向に沿った断面図を示すものである。この実施形態では、カフ１の外装を構成するシート材８のうち、装着状態において手首２とは反対側に配置される外側シート材８ａと、手首２側に配置される内側シート材８ｂとは、いずれも平面状に形成されており、カフ１の外側シート材８ａと内側シート材８ｂとの間の寸法、すなわちカフ１の手首２表面側の面から手首２とは反対側の面の間の寸法は、全体に亘ってほぼ等しく形成されている。
【００３２】
ここで、外側シート材８ａは全体にわたってほぼ等しい厚みに形成されている。一方、内側シート材８ｂのうちの、橈骨茎状突起部７の中央部７ａに対する前腕長手方向の両端側にそれぞれ配置される部分は、外側シート材８ａとほぼ同一の厚みを有する肉薄部１２ｂとして形成されているが、内側シート材８ｂのうちの橈骨茎状突起部７の中央部７ａの略直上に配置される部分は、肉薄部１２ｂよりも厚みが厚い肉厚部１２ａとして形成されている。
【００３３】
このように形成されたカフ１の内部を加圧することによりカフ１にて手首２を圧迫すると、内側シート材８ｂの肉厚部１２ａは肉薄部１２ｂよりも剛性が高くなっているため、膨脹量が肉薄部１２ｂよりも小さくなる。このため手首２表面に向けてのカフ１の膨脹量は、橈骨茎状突起部７の中央部７ａの略直上に配置されている部分（すなわち肉厚部１２ａが形成されている部分）よりも、橈骨茎状突起部７の中央部７ａに対する前腕長手方向の両端側に配置されている部分（すなわち肉薄部１２ｂが形成されている部分）の方が、大きくなり、このため、カフ１から手首２の表面にかけられる圧迫力は、橈骨茎状突起部７の中央部７ａに対する前腕長手方向の両端側でのカフ１から手首２表面への圧迫力の方が、橈骨茎状突起部７の中央部７ａの略直上での圧迫力よりも大きくなる。
【００３４】
この結果、図１に示す参考例の場合と同様に、カフ１が装着されて圧迫力がかけられている領域において、橈骨動脈３には血流の上流側から下流側に亘ってほぼ均一な分布で圧迫力がかけられることとなり、ノイズが重畳しないカフ圧−脈圧曲線のカーブが測定できて、高い測定精度にて血圧の測定を行なうことができるものである。
【００３５】
図１１は手首血圧計システムの一例を示している。この手首血圧計システムは、腱９から橈骨茎状突起７を含み、橈骨５の方向へ巻回するカフ１、およびカフ１を手首２に固定するバンド２２、橈骨動脈３が阻血するまで加圧するポンプ２３、阻血後徐々に排気する定速排気弁２４、カフ１の内圧に重畳した橈骨動脈３の脈波信号を検出する圧力センサー２５および例えば０．５〜１０Ｈｚのバンドパスフィルタ２６、脈波信号をたとえば５０Ｈｚのサンプリングでデジタル化するＡ／Ｄ変換器２７、血圧判定を行うＣＰＵ２８、血圧測定終了後、測定値を表示させる表示器２９、カフ１を急速排気する急速排気弁３０により構成されている。カフ１を腱９の真上から橈骨５へ巻回させ、バンド２２で手首２に固定した後、たとえば２４．０ｋＰａ（１８０ｍｍＨｇ）までポンプ２３によって加圧し、橈骨動脈３を阻血したのち、たとえば定速排気弁２４によって０．４ｋＰａ／ｓ（３ｍｍＨｇ／ｓ）で減圧しながら、カフ１の内圧に重畳した橈骨動脈３の脈波のみを圧力センサー２５及びバンドパスフィルタ２６で抽出する。脈波信号はＡ／Ｄ変換器２７でデジタル信号としてＣＰＵ２８に取り込まれ、脈拍数、最高、最低血圧を判定し、表示器２９に表示する。
【００３６】
【発明の効果】
上記のように本発明に係る血圧計用カフは、手首周方向に巻回されて手首を圧迫する血圧計用カフにおいて、カフの手首周方向の長さは、手首手掌側の腱が配置されている硬い組織エリアを起点として橈骨側に巻き付けたときに橈骨動脈を通り少なくとも橈骨茎状突起部に至り且つ尺骨動脈には至らないような長さを有すると共に、カフの前腕長手方向の長さは、少なくとも橈骨茎状突起部の略直上において橈骨動脈を局所的に圧迫するための長さを有し、カフを手首周方向に巻回させて圧迫させた際の、橈骨茎状突起部の中央部に対する前腕長手方向の両端側でのカフから手首表面への圧迫力が、橈骨茎状突起部の中央部の略直上での圧迫力よりも大きくなるように形成するため、カフの手首周方向の一端部を手首手掌側の腱などの硬い組織エリアに位置させ、これを起点としてカフを橈骨側に向かって巻き付けることで、尺骨動脈を阻血せずに、橈骨動脈のみを阻血でき、同時に阻血した場合に生じる２本の動脈の脈波信号の干渉による血圧判定精度への影響を軽減して、信頼性の高い血圧、脈波測定等の測定を実施でき、正確な血圧値を判定することができるものであり、しかも、手首を圧迫することにより橈骨動脈を圧迫させて測定するにあたり、橈骨動脈には、橈骨茎状突起部の中央部と手首の表面との間に配置されている部分については、手首の表面側に向けて隆起している橈骨茎状突起部の中央部のために充分な圧迫力がかけられ、また橈骨茎状突起部の中央部に対して前腕長手方向の両端側にそれぞれ配置されている部分については、この部分におけるカフから手首にかかる圧迫力を大きくして同様に充分な圧迫力をかけることができるものであり、この結果、カフが装着されて圧迫力がかけられている領域において、橈骨動脈には血流の上流側から下流側に亘ってほぼ均一な分布で圧迫力をかけることができ、ノイズが重畳しないカフ圧−脈圧曲線のカーブが測定できて、高い測定精度にて血圧の測定を行なうことができるものである。
また、請求項１に係る発明では、橈骨茎状突起部の中央部の略直上に配置される中央カフと、橈骨茎状突起部の中央部に対する前腕長手方向の両端側にそれぞれ配置される二つの側部カフとを前腕長手方向に連設してカフを形成し、装着状態における中央カフの手首表面側の面から手首とは反対側の面の間の寸法が、側部カフよりも小さく形成するため、カフの内部を加圧することによりカフにて手首を圧迫すると、橈骨茎状突起部の中央部の略直上に配置されている中央カフよりも、橈骨茎状突起部の中央部に対して前腕長手方向の両端側に配置されている各側部カフの方が、膨脹量が大きくなり、このため、橈骨茎状突起部の中央部に対する前腕長手方向の両端側でのカフから手首表面への圧迫力を、橈骨茎状突起部の中央部の略直上での圧迫力よりも大きくすることができるものである。
また、請求項２に係る発明では、手首表面側におけるカフの外装を構成するシート材の厚みを、橈骨茎状突起部の中央部の略直上に配置される部分の方が、橈骨茎状突起部の中央部に対する前腕長手方向の両端側にそれぞれ配置される部分よりも厚くなるように形成するため、シート材の厚みが厚くなっている部分は剛性が高くなって、カフの内部を加圧することによりカフにて手首を圧迫すると、カフの手首表面側への膨脹量が、シート材の厚みが厚くなっている部分で小さくなり、この結果橈骨茎状突起部の中央部に対する前腕長手方向の両端側でのカフから手首表面への圧迫力を、橈骨茎状突起部の中央部の略直上での圧迫力よりも大きくすることができるものである。
【図面の簡単な説明】
【図１】  本発明の実施の形態の参考例を示す、カフを手首に装着した場合での、前腕長手方向に沿った断面図である。
【図２】  本発明の実施の形態の他の参考例を示す、カフを手首に装着した場合での、前腕長手方向に沿った断面図である。
【図３】  本発明の実施の形態の一例を示す、カフを手首に装着した場合での、前腕長手方向に沿った断面図である。
【図４】  本発明の実施の形態の他例を示す、カフを手首に装着した場合での、前腕長手方向に沿った断面図である。
【図５】  カフにて手首を圧迫した際における橈骨動脈にかかる圧迫力を示すグラフである。
【図６】  本発明での、カフにて手首を圧迫した際におけるカフ圧−脈圧曲線を示すグラフである。
【図７】  本発明での、カフの装着状態を手首手掌側から見た平面図である。
【図８】  同上の断面図である。
【図９】  （ａ）は同上の側面図、（ｂ）は斜視図である。
【図１０】  更に他の実施形態の断面図である。
【図１１】  血圧計の概略構成図である。
【図１２】  従来技術を示す、カフを手首に装着した場合での、前腕長手方向に沿った断面図である。
【図１３】  従来技術での、カフにて手首を圧迫した際におけるカフ圧−脈圧曲線を示すグラフである。
【符号の説明】
１  カフ
１ａ  中央カフ
１ｂ  側部カフ
２  手首
３  橈骨動脈
４  尺骨動脈
５  橈骨
７  橈骨茎状突起部
７ａ  中央部
８  シート材
９  腱
１１  弾性部材
５０  組織エリア
【図１】
0003636071.tif 000002
【図２】
0003636071.tif 000003
【図３】
0003636071.tif 000004
【図４】
0003636071.tif 000005
【図５】
0003636071.tif 000006
【図６】
0003636071.tif 000007
【図７】
0003636071.tif 000008
【図８】
0003636071.tif 000009
【図９】
0003636071.tif 000010
【図１０】
0003636071.tif 000011
【図１１】
0003636071.tif 000012
【図１２】
0003636071.tif 000013
【図１３】
0003636071.tif 000014